(57)【要約】      （修正有）【課題】災害現場に輸送できて、迅速に設営できるシステムシェルターの提供。【解決手段】システムシェルター１は、第１避難空間１０ａが画定された本体１０と、本体１０の内部に設けられる第１ベッドと、底板１１に載置された建屋部材５０、および第２ベッド部材１４５を有している。組立式建屋は、側壁１２を上下方向に回動することで水平にして、本体１０の上に設営される。本体１０の内部に建屋部材、および組立式建屋内に第２ベッドを設置するための第２ベッド部材１４５が配設されることから、本体１０のみを搬入現場に搬送することで、特段の設備を準備することなく避難可能な組立式建屋を設営する。【選択図】図２
2020200690.tif 000002
【特許請求の範囲】
【請求項１】
組立式建屋を増設するための部材である建屋部材と、
輸送手段で輸送可能であって、上下方向に回動可能な外壁を有する本体と、
前記外壁を回動する回動手段と、を備え、
前記外壁は、回動したとき、前記組立式建屋を固定するための固定床となることを特徴とするシステムシェルター。
【請求項２】
前記輸送手段は、牽引して輸送可能であることを特徴とする請求項１に記載のシステムシェルター。
【請求項３】
前記建屋部材は、前記本体の内部に配設されることを特徴とする請求項１または２に記載のシステムシェルター。
【請求項４】
前記組立式建屋は、前記組立式建屋の骨組となる枠組と、前記枠組に固定されて、前記枠組を覆うための幕材とを有することを特徴とする請求項１〜３のいずれか１項に記載のシステムシェルター。
【請求項５】
前記幕材は、前記枠組の外面側に固定される外幕と、前記枠組の内面側に固定される内幕とを有することを特徴とする請求項４に記載のシステムシェルター。
【請求項６】
前記本体の内部に、第１避難施設が設けられることを特徴とする請求項１〜５のいずれか１項に記載のシステムシェルター。
【請求項７】
前記第１避難施設は、前記外壁の方向に沿って、列状に複数段設けられる第１ベッドを有することを特徴とする請求項６に記載のシステムシェルター。
【請求項８】
前記組立式建屋の内部に第２避難施設を設営するための第２避難施設部材が、前記本体の内部に配設されることを特徴とする請求項１〜７のいずれか１項に記載のシステムシェルター。
【請求項９】
第２避難施設部材は、第２ベッドを前記外壁の方向に沿って、列状に複数段設営できる第２ベッド部材を有することを特徴とする請求項８に記載のシステムシェルター。
【請求項１０】
前記外壁は、対向して設けられる一対の側壁で構成されることを特徴とする請求項１〜９のいずれか１項に記載のシステムシェルター。
【発明の詳細な説明】
【技術分野】
【０００１】
本発明は、避難可能な組立式建屋が増設できるシステムシェルターに関する。
【背景技術】
【０００２】
災害が発生したとき、被害にあった多くの人々は、体育館の床に段ボールなどを敷きならべ、大勢がひしめき合う中で毛布を敷いて、そこに雑魚寝状態で避難生活を送っていた。体育館の床の上だけでなく、学校の廊下で寝起きした人々もいる。
【０００３】
このような過酷な環境下での避難を余儀なくされて、災害関連死で命を落とされた方々は多数にのぼることが知られている。
【０００４】
熊本地震で「災害関連死」と認定された人数は２１１人であり、地震の直接の影響で亡くなった人の４倍以上に達した。この２１１人の内、避難所での避難生活や車中泊を経験した人々は少なくとも９５人、全体の４５％を占めるといわれている。災害で財産を失ってしまったという精神的疲労や、過密な集団での雑魚寝による睡眠不足などが相まって健康を害したことが推測される。
【０００５】
被災して、幸いにも一命をとりとめたとしても避難所での生活で「災害関連死」するのではあまりにも悲惨である。
【先行技術文献】
【特許文献】
【０００６】
【特許文献１】特許第５５６９９９７号公報
【発明の概要】
【発明が解決しようとする課題】
【０００７】
上述した状況に鑑みると、雑魚寝による避難生活を回避できる避難施設が必要となる。しかし、万が一の災害に備えて大規模な避難施設を全国至る場所に常設することは、設置コスト・維持管理コストを考えると、現実的な対応とは言えない。
【０００８】
本発明の目的は、災害現場に輸送できて、迅速に設営できるシステムシェルターを提供することである。これにより、大勢の人々が雑魚寝による避難生活を回避できる。
【課題を解決するための手段】
【０００９】
上記課題を解決するために、請求項１に係る発明は、システムシェルターであって、組立式建屋を増設するための部材である建屋部材と、輸送手段で輸送可能であって、上下方向に回動可能な外壁を有する本体と、外壁を回動する回動手段とを備え、外壁は、回動したとき、組立式建屋を固定するための固定床となることを特徴とする。
【００１０】
この構成によれば、システムシェルターは、輸送手段で輸送可能であるので、災害時に迅速に設置現場に搬送して設営できる。また、組立式システムシェルターの外壁は、回動したとき組立式建屋を固定するための固定床となるので、外壁を多目的に利用できるとともに、組立式建屋を短期間に設営できる。
【００１１】
請求項２に係る発明は、請求項１に記載のシステムシェルターにおいて、輸送手段は、牽引して輸送可能であることを特徴とする。
【００１２】
この構成によれば、本体は、牽引して輸送可能であるので、搬入現場に搬入したとき、本体を台車ごと搬入現場に存置して、牽引車両のみを搬送することで積卸作業を省略できるとともに輸送効率を高めることができる。例えば、複数台の本体を台車ごと搬入現場近傍の港までフェリーで搬送し、牽引車で搬入現場までピストン搬送することで効率よく搬送できる。
【００１３】
請求項３に係る発明は、請求項１または２に記載のシステムシェルターにおいて、建屋部材は、本体の内部に配設されることを特徴とする。
【００１４】
この構成によれば、組立式建屋を増設するための建屋部材は、本体の内部に配設されるので、本体のみを搬入現場に搬送することで、組立式建屋を設営できる。
【００１５】
請求項４に係る発明は、請求項１〜３のいずれか１項に記載のシステムシェルターにおいて、組立式建屋は、組立式建屋の骨組となる枠組と、枠組に固定されて、枠組を覆うための幕材とを有することを特徴とする。
【００１６】
この構成によれば、組立式建屋は、枠組と、枠組に固定されて、枠組を覆うための幕材を有するので、建屋部材の軽量化が図れるとともに、設営時間の短縮を図ることができる。
【００１７】
請求項５に係る発明は、請求項４に記載のシステムシェルターにおいて、幕材は、枠組の外面側に固定される外幕と、枠組の内面側に固定される内幕とを有することを特徴とする。
【００１８】
この構成によれば、幕材は、枠組の外面側に固定される外幕と、枠組の内面側に固定される内幕とを有するので、外幕と内幕との間に断熱効果が期待できる空気層が設けられる。また、仮に、外幕が破損した場合でも、内幕の存在によって、風雨が直接内部に吹き込むことはない。
【００１９】
請求項６に係る発明は、請求項１〜５のいずれか１項に記載のシステムシェルターにおいて、本体の内部に、第１避難施設が設けられることを特徴とする。
【００２０】
この構成によれば、本体の内部に、第１避難施設が設けられるので、本体をそのまま避難場所とすることができる。
【００２１】
請求項７に係る発明は、請求項６に記載のシステムシェルターにおいて、第１避難施設は、外壁の方向に沿って、列状に複数段設けられる第１ベッドを有することを特徴とする。
【００２２】
この構成によれば、本体の内部に、第１ベッドが、外壁の方向に沿って、列状に複数段設けられるので、本体に多数の人々が、避難して、就寝できる。
【００２３】
請求項８に係る発明は、請求項１〜７のいずれか１項に記載のシステムシェルターにおいて、組立式建屋の内部に第２避難施設を設営するための第２避難施設部材が、本体の内部に配設されることを特徴とする。
【００２４】
この構成によれば、組立式建屋の内部に第２避難施設を設営するための第２避難施設部材が、本体の内部に配設されるので、本体のみを搬入現場に搬送することで、第２避難施設を組立式建屋内に設営できる。
【００２５】
請求項９に係る発明は、請求項８に記載のシステムシェルターにおいて、第２避難施設部材は、第２ベッドを外壁の方向に沿って、列状に複数段設営できる第２ベッド部材を有することを特徴とする。
【００２６】
この構成によれば、第２避難施設部材は第２ベッドを外壁の方向に沿って、列状に複数段設営できる第２ベッド部材を有するので、組立式建屋に多数の人々が、避難して、就寝できる。
【００２７】
請求項１０に係る発明は、請求項１〜９のいずれか１項に記載のシステムシェルターにおいて、外壁は、対向して設けられる一対の側壁で構成されることを特徴とする。
【００２８】
この構成によれば、一つの組立式システムシェルターの壁は、対向して設けられる一対の側壁で構成されるので、一つのシステムシェルターの二面の側壁を利用して、二つの増設避難施設を設営できる。
【図面の簡単な説明】
【００２９】
【図１】実施形態１のシステムシェルターの輸送荷姿の側面図である。
【図２】システムシェルターの正面断面図である。
【図３】システムシェルターの側壁の回動を説明する正面断面図である。
【図４】組立式建屋を設営したときのシステムシェルターの斜視図である。
【図５】組立式建屋の枠組を組立てた状態の斜視図である。
【図６】（ａ）は、側壁と支柱の固定方法を説明するシステムシェルターの正面断面図であり、（ｂ）は、支柱、上縦梁、および上横梁の固定方法を説明する平面断面図である。
【図７】幕材の部分正面断面図である。
【図８】（ａ）は、組立式建屋を設営した状態の正面断面図であり、（ｂ）は、同側面断面図である。
【図９】第１ベッド本体の斜視図である。
【図１０】実施形態２のシステムシェルターの輸送荷姿の側面図である。
【図１１】（ａ）は、実施形態２の増設建屋を設営した状態の正面図であり、（ｂ）は、同側面図である。
【発明を実施するための形態】
【００３０】
本発明の実施形態１について、図１〜９を参照して説明する。
【００３１】
図１、２に示す通り、システムシェルター１は、第１避難空間１０ａが画定された本体１０と、本体１０の内部に設けられる第１ベッド４０と、底板１１に載置された建屋部材５０、および第２ベッド部材１４５を有している。第１避難空間１０ａの内部に組立式建屋６０を設営するための建屋部材５０、および組立式建屋６０内に第２ベッド４５を設置するための第２ベッド部材１４５が配設されることから、本体１０のみを搬入現場に搬送することで、特段の設備を準備時することなく避難可能な組立式建屋６０を設営できる。
【００３２】
本体１０は、底板１１、天板１３、対向して設けられる側壁１２、および出入口２０を有する立方体であり、大きさは２０フィートコンテナと同じか若干小さく設定される。これにより、トラック９０（輸送手段）による陸上輸送が可能となり、ほとんどの災害現場に搬送できる。
【００３３】
図３に示す通り、側壁１２の下端は、底板１１にヒンジ３４で上下方向に回動可能に固定されており、上端は天板１３に開放可能に固定されている。また、天板１３には、ウインチ３０（回動手段）が固定されていて、ウインチ３０に備えつけられているワイヤー３２は、天板１３に固定される滑車３３を経由して側壁１２の上端部に接続している。
【００３４】
地面にあらかじめ増設基礎６１を設置しておき、側壁１２と、天板１３の固定を開放して、ワイヤー３２を伸ばすことで側壁１２は下方に回動する。側壁１２が水平になり、増設基礎６１に載置されたことを確認してワイヤー３２と側壁１２の接続を解く。これにより、側壁１２は、組立式建屋６０を固定するための固定床として利用できる。また、上下方向の回動を円滑にするために、側壁１２を外部空間１００ａ側に付勢するためのバネを、天板１３に設けておくことが好ましい。
【００３５】
側壁１２が、組立式建屋６０を固定するための固定床として利用されるときは、地中に貫入する地中アンカー（図示略）等と固定することが好ましい。これにより、強風によって側壁１２が煽られることを防止できる。
【００３６】
図４に示す通り、本体１０は基礎１４に支持されている。組立式建屋６０を増設した状態では、２棟の組立式建屋６０が、本体１０の両側に設けられる。本体１０には、観音開きの外扉２１と、引戸式の内扉２２を有する２重構造の出入口２０が、対向した状態で２カ所設けられている。２重構造とすることで、断熱性能を高めることができる。外気温が低い場合は、外扉２１、および内扉２２を閉鎖して断熱性能を高め、外気温が高い場合は、外扉２１、および内扉２２の双方を開放して内部の風通しを良くすることで人々が快適に避難できる。
【００３７】
組立式建屋６０についても、本体１０と同様に、２重幕構造の増設出入口６２が対向した状態で２カ所設けられている。増設出入口６２は、外幕５５ａ、および内幕５５ｂをファスナー５７で開閉する構造となっている。開閉のタイミングについては、出入口２０と同様であるので、説明は省略する。
【００３８】
組立式建屋６０は、側壁１２にラーメン構造の枠組５１が取り付けられて、枠組５１に幕材５５が固定された構造である。
【００３９】
図５に示す通り、枠組５１は、組立式建屋６０の骨組となるものであり、角筒体の支柱５２、上縦梁５３、および上横梁５４を有している。支柱５２は側壁１２に固定されて、支柱５２の上端部に上縦梁５３、上横梁５４が四方に組まれた状態で固定されるラーメン構造である。また、これらの部材は適宜、繋材５９ａ、ｂ、ｃで連結されている。本実施形態１では、支柱５２、上縦梁５３、上横梁５４は１本の部材としているが、複数に分割された部材同士を接合したものでもよい。分割することで、本体１０への収容が効率化できる。
【００４０】
図６（ａ）に示す通り、側壁１２の四隅に、接続部材１２ａが固定されている。接続部材１２ａは、側壁１２と支柱５２を接続するための部材であり、支柱５２に内挿できる角筒体である。支柱５２に接続部材１２ａを内挿した状態で、それぞれに対応する位置に孔が穿孔されており、この孔にボルト５７ａを貫入してナット５７ｂ締めることで側壁１２と支柱５２は固定される。
【００４１】
図６（ｂ）に示す通り、支柱５２の上端部に接続部材５３ａ、５３ｂが固定されている。接続部材５３ａは、支柱５２と上縦梁５３を接続するための部材であり、上縦梁５３に内挿できる角筒体である。上縦梁５３に接続部材５３ａを内挿した状態で、それぞれに対応する位置に孔が穿孔されており、この孔にボルト５７ａを貫入してナット５７ｂ締めることで支柱５２と上縦梁５３は固定される。上横梁５４についても同様に、支柱５２に固定される。これにより、枠組５１は、側壁１２に固定されたラーメン構造となる。
【００４２】
繋材５９ａ、ｂ、ｃのそれぞれの部材等への固定については、上述した内容とほぼ同じであることから説明は省略する。
【００４３】
図７に示す通り、枠組５１に幕材５５が固定されている。幕材５５は、組立式建屋６０の第２避難空間６０ａを画定するためのものであり、枠組５１の外部空間１００ａ側に設けられた外幕５５ａ、および第２避難空間６０ａ側に設けられた内幕５５ｂを有する２重構造となっている。２重構造とすることで、仮に、風雨で外幕５５ａが破損した場合でも、内幕５５ｂによって、内部空間に強風が吹きこむことはなく、降雨を伴う強風の場合でも、雨が吹きこむこともない。また、増設出入口６２に位置する外幕５５ａ、および内幕５５ｂには、ファスナー５７で開閉する増設外扉５８、および増設内扉（図示略）が設けられている。
【００４４】
外幕５５ａ、および内幕５５ｂは下方に開放する箱型の幕であり、支柱５２、上縦梁５３、および上横梁５４に面テープで固定されている。これによらず、ボタン状留め具、ループ状留め具、またはフック状留め具、もしくはこれらを併用して固定してもよい。
【００４５】
枠組５１に外幕５５ａ、および内幕５５ｂを固定することで、組立式建屋６０の増設出入口６２、増設側壁６３、および増設天井６４が設けられる。また、外幕５５ａと、内幕５５ｂの間に空気層５６が設けられる。空気層５６は、組立式建屋６０の断熱性を向上させるためのものである。これにより、内部空間は、外気温の変化を受けにくくなる。
【００４６】
本実施形態１では、外幕５５ａ、および内幕５５ｂは、一体構造としているが、分割した幕材を相互に固定するものであってもよい。これにより、分割した幕材を部分的に枠組５１に取り付けることで外幕５５ａ、内幕５５ｂを枠組５１に取り付けることができるので、一度の作業に多くの人数を要することもない。これにより、取り付け作業の効率化を図ることができる。また、繋材５９ａ，ｂ，ｃに分割した外幕５５ａ、および内幕５５ｂを固定してもよい。上記枠組５１および幕材５５は、輸送時には、建屋部材５０として第１避難空間１０ａに配設されている。
【００４７】
図８（ａ）、（ｂ）に示す通り、システムシェルター１は、本体１０の両側に組立式建屋６０を増設できる。第１避難空間１０ａには、第１ベッド４０があらかじめ設けられている。組立式建屋６０で画定される第２避難空間６０ａには、第２ベッド４５が配置されている。第２ベッド４５は、あらかじめ本体１０に配設されていた第２ベッド部材１４５を組立てたてたものである。
【００４８】
第１ベッド４０は、両側面に、側壁１２の方向に沿って列状に上下２段の就寝場所が確保されている。第２ベッド４５についても同様である。これにより、多くの人々が就寝場所を確保して避難できる。
【００４９】
第１ベッド本体４０ａは、上下２段に配置されて、下段の第１ベッド本体４０ａは底板１１に載置されている。また上段の第１ベッド本体４０ａは両端部が第１ベッド支持材４０ｂに着脱自在に固定された状態で、下段の第１ベッド４０の直上に置かれている。
【００５０】
第１ベッド支持材４０ｂは、Ｔ字形の部材であり、下端部は底板１１に、また先端部は仕切板４２に固定されている。仕切板４２は、外部空間と内部空間を仕切るためのものであり、本体１０の両側面の全面を塞ぐ状態で本体に配置されている。仕切板４２は優れた遮音性能を具備するものが好ましい。
【００５１】
第２ベッド部材１４５は、第２ベッド本体４５ａ、および第２ベッド支持材４５ｂを有している。第２ベッド本体４５ａは、輸送時には、第１ベッド本体４０ａに載置した状態で第１避難空間１０ａに配設されている。同じく輸送時には第１避難空間１０ａに配設されている第２ベッド支持材４５ｂは、Ｔ字型の部材であり、下端部は側壁１２に、また先端部は繋材５９ａに固定される。第２ベッド本体のレイアウトは、第１ベッド本体とほぼ同じであることから説明は省略する。
【００５２】
第１ベッド４０、第２ベッド４５は、それぞれの就寝場所を区画する間仕切りを設けることが好ましい。間仕切りは段ボール等を利用した簡単なものでもよい。軽量なため取付・取外しが簡単であるにもかかわらず、プライバシーが確保できるとともに、遮音・断熱効果も期待できる。
【００５３】
図９に示す通り、第１ベッド本体４０ａは、基材４１ａにマット４１ｂが着脱自在に固定される構成となっている。マット面が汚れたとき、マット４１ｂを取り外して洗浄することで、常に清潔な状態に保つことができる。基材４１ａは横たわったときの荷重を受け止めるものであることから、剛性の高い素材であることが好ましい。マット４１ｂは、荷重を分散して寝心地を改善するものであることから、クッション性の良いものであることが好ましい。また、マット４１ｂは軽量であることが好ましい。これにより、取り付け取り外しが簡単になる。
【００５４】
第２ベッド４５についは、第１ベッド４０とほぼ同様の構成であることから、説明は省略するが、第２ベッド４５は、本体１０の内部から、組立式建屋６０の内部に移送して配置することから、第１ベッド４０よりも軽量であることが好ましい。これにより、第２ベッド４５の取り付け作業の負荷低減が図れる。
【００５５】
本発明の実施形態２について、図１０、１１を参照して説明する。実施形態１と実施形態２は、共通部分があることから、主に相違点について説明する。符号については、共通部分は、同じ番号とし、異なる部分については２００番台の番号を用いる。
【００５６】
実施形態２におけるシステムシェルター２０１は本体１０に建屋部材５０等が配設された状態で、トレーラー２９０（牽引手段）で、牽引して輸送される。具体的には、本体１０を台車２９１に載せて、牽引車２９２で牽引する構成である。本体１０は、輸送できる最大の大きさとすることが好ましい。例えば、幹線道路のみを通過して輸送が可能であれば、４０フィートコンテナと同じか若干小さくすることが好ましい。本体１０を大きくすることで、１つのシステムシェルターでより多くの人々が避難できる。また、３０フィートコンテナ、２０フィートコンテナと同じか若干小さくてもよいことはもちろんである。
【００５７】
図１１に示す通り、本体１０を搬入現場に搬入した後、牽引車２９２から台車２９１を切り離し、本体１０を台車２９１ごと搬入現場に存置して、牽引車両のみを搬送することで積卸作業を省略できる。これにより、本体１０を据え付けるためのクレーン作業が不要となり、設置作業の効率化が図れる。また、本体１０を搬入現場の近傍の港までフェリー輸送が可能であれば、複数台の本体１０を台車２９１に載せて、牽引車２９２を切り離した状態でフェリー輸送し、港に到着後、牽引車２９２で港と搬入現場の間をピストン輸送することで輸送の効率化を図れる。
【００５８】
図１１（ｂ）に示す通り、台車２９１は、タイヤ２９４と基礎２１１に支持された状態で搬入現場に載置される。台車２９１を基礎２１１で支持する手順について説明する。
【００５９】
搬入現場にトレーラー２９０を搬入した後、基礎２１１を台車２９１の下に挿入する。基礎２１１に設けられたジャッキ（図示略）を利用して、牽引車２９２の接続部２９３が負担していた台車２９１の荷重を基礎２１１に載せかえる。接続部２９３の接続を開放して、牽引車２９２と台車２９１を切り離す。その後、牽引車２９２を移動することで作業は完了する。
【００６０】
組立式建屋６０の地上高さは、本体１０の地上高さと同じとなることから、組立式建屋６０は、実施形態１の増設基礎６１よりも高さの高い増設基礎２６１で支持される。
【００６１】
また、基礎２１１が設置される側には、出入口２０、および増設出入口６２に昇降するための階段２４２が設けられる。
【００６２】
なお、本発明は、上述した実施形態１、２に限定されず、本発明の技術的思想を逸脱しない範囲で、様々な改変、置換等を行うことができる。例えば、本実施形態１，２では一人用のベッドを両側面に配置したが家族単位で避難できる複数人用のベッドを配置してもよいし、これらを組み合わせて配置してもよい。また、ベッドは上下２段に配置したが、１段のみでもよいし、３段以上配置してもよい。
【００６３】
実施形態１において、本体を積卸すためのフォークリフトをあらかじめ本体の内部に積み込んでおいてもよい。これにより、クレーンの手配が困難な搬入現場でも本体の積卸が容易となる。
【００６４】
さらに、熱交換式換気扇を配備して内部の温度を保つようにしてもよいし、太陽光発電パネルを天井面に配備して蓄電池を利用してその動力源としてもよい。
【産業上の利用可能性】
【００６５】
本発明に係るシステムシェルターは、輸送時はコンパクトな外形であるにもかかわらず、避難する多くの人々を収容できる。また、現地での搬入設営も簡単であることから産業上の利用可能性は大である。特に、地震、火山噴火等の突然発生する災害時に、迅速に避難対応できる点で優れている。
【符号の説明】
【００６６】
１、２０１      システムシェルター
１０      本体
１２      側壁
３０      ウインチ
４０      第１ベッド
４５      第２ベッド
１４５      第２ベッド部材
５０      建屋部材
５１      枠組
５５      幕材
５５ａ      外幕
５５ｂ      内幕
６０      組立式建屋
９０      トラック（輸送手段）
２９０      トレーラー（輸送手段）
【図１】
2020200690.tif 000003
【図２】
2020200690.tif 000004
【図３】
2020200690.tif 000005
【図４】
2020200690.tif 000006
【図５】
2020200690.tif 000007
【図６】
2020200690.tif 000008
【図７】
2020200690.tif 000009
【図８】
2020200690.tif 000010
【図９】
2020200690.tif 000011
【図１０】
2020200690.tif 000012
【図１１】
2020200690.tif 000013
【手続補正書】
【提出日】令和2年2月12日(2020.2.12)
【手続補正１】
【補正対象書類名】特許請求の範囲
【補正対象項目名】請求項１
【補正方法】変更
【補正の内容】
【請求項１】
避難施設として用いるシステムシェルターであって、
組立式建屋を増設するための部材である建屋部材と、
輸送手段で輸送可能であって、天板と、前記天板に着脱自在に固定されて上下方向に回動可能な外壁と、を有する本体と、
前記外壁を回動する回動手段と、を備え、
前記回動手段は、前記外壁を外部空間側に付勢するバネを有し、
前記外壁は、回動したとき、前記組立式建屋を固定するための固定床となり、
前記固定床は、地中アンカーに固定された増設基礎に固定されることを特徴とするシステムシェルター。
【手続補正２】
【補正対象書類名】明細書
【補正対象項目名】０００９
【補正方法】変更
【補正の内容】
【０００９】
上記課題を解決するために、請求項１に係る発明は、避難施設として用いるシステムシェルターであって、組立式建屋を増設するための部材である建屋部材と、輸送手段で輸送可能であって、天板と、天板に着脱自在に固定されて上下方向に回動可能な外壁と、を有する本体と、外壁を回動する回動手段とを備え、回動手段は、外壁を外部空間側に付勢するバネを有し、外壁は、回動したとき、組立式建屋を固定するための固定床となり、固定床は、地中アンカーに固定された増設基礎に固定されることを特徴とする。
【手続補正３】
【補正対象書類名】明細書
【補正対象項目名】００１０
【補正方法】変更
【補正の内容】
【００１０】
この構成によれば、システムシェルターは、輸送手段で輸送可能であるので、災害時に迅速に設置現場に搬送して設営できる。また、組立式システムシェルターの外壁は、回動したとき組立式建屋を固定するための固定床となるので、外壁を多目的に利用できるとともに、組立式建屋を短期間に設営できる。
また、この構成によれば、外壁を円滑に回動できる。
また、この構成によれば、強風によって外壁が煽られることを防止できる。